(57)【特許請求の範囲】
【請求項１】
複数のアンテナを通じて送信された信号からデータを再生するデータ再生装置において、
第１と第２のパイロットウォルシュコードおよび第１と第２のデータウォルシュコードを利用して、第１と第２のパイロット信号および第１と第２のデータ信号を再生する第１と第２の逆拡散部と、
前記第１と第２の逆拡散部を選択的に活性化させる経路制御器と、
前記第１と第２の逆拡散部から出力される第１と第２のパイロット信号を利用して、アンテナウエーティング信号を発生させるアンテナウエーティング信号発生器と、
前記第１と第２の逆拡散部から出力されるデータ信号を加える加算器と、
基地局の送信方法によって、前記第１と第２の逆拡散部と、前記経路制御器と、前記加算器とを制御する制御部と、を含み、
前記第１と第２の逆拡散部は、
前記第１と第２のパイロットウォルシュコードにより前記送信信号を逆拡散させることによって、第１と第２のパイロット信号を合成する第１と第２のパイロット合成器と、
前記第１と第２のデータウォルシュコードにより前記送信信号を逆拡散させることによって、第１と第２のデータ信号を合成する第１と第２のデータ合成器と、
前記第１と第２のパイロット合成器および前記第１と第２のデータ合成器に入力される送信信号を所定時間遅延させる遅延素子と、を備え、
前記第１と第２のデータ合成器は、前記第１と第２のデータウォルシュコードによる送信信号の逆拡散の結果と前記第１と第２のパイロット信号とを掛けて、データ信号として出力し、
前記第１と第２の逆拡散部は、前記第１と第２のパイロット合成器から出力されるパイロット信号の位相および利得を評価する第１と第２の経路評価器をさらに備え、前記アンテナウエーティング信号発生器は、前記第１と第２の経路評価器の出力を利用してアンテナウエーティング信号を発生させる、ことを特徴とするデータ再生装置。
【請求項２】
一つのアンテナを利用する場合の２倍の長さであり、互いに相違するデータウォルシュコードを利用して、前記二つの逆拡散部がデータ再生を遂行し、前記経路制御器が前記二つの逆拡散部を共に活性化させ、前記加算器が前記二つの逆拡散部で再生されたデータ信号を交互に出力するように、前記制御部が前記逆拡散部と前記経路制御器と前記加算器とを制御することを特徴とする請求項１に記載のデータ再生装置。
【請求項３】
一つのアンテナを利用する場合と同一の長さであり、互いに同一であるデータウォルシュコードを利用して、前記二つの逆拡散部がデータの再生を遂行し、前記経路制御器が前記二つの逆拡散部を所定のパターンによって選択的に活性化させ、前記加算器が前記パターンによって選択された逆拡散部で再生されたデータ信号を一列に出力するように、前記制御器が前記逆拡散部と前記経路制御器と前記加算器とを制御することを特徴とする請求項１に記載のデータ再生装置。
【請求項４】
一つのアンテナを利用する場合と同一の長さであり、互いに同一であるデータウォルシュコードを利用して、前記二つの逆拡散部がデータの再生を遂行し、前記経路制御器が前記二つの逆拡散部を共に活性化させ、前記加算器が前記二つの逆拡散部で再生されたデータ信号を加えて出力するように、前記制御部が前記逆拡散部と前記経路制御器と前記加算器とを制御することを特徴とする請求項１に記載のデータ再生装置。
【発明の詳細な説明】
【０００１】
【発明の属する技術分野】
本発明は、複数のアンテナを通じて送信された信号からデータを再生するデータ再生装置に関するものであり、特に、基地局送信ダイバーシチ（ｄｉｖｅｒｓｉｔｙ）の様々な技法に対して全て使用することができる端末機用受信機システムに関するものである。
【０００２】
【従来の技術】
第三世代セルラ（ｃｅｌｌｕｌａｒ）システムであるｃｄｍａ２０００では音声だけではなく、高速のパケットデータ（ｐａｃｋｅｔ  ｄａｔａ）送信も提供するために、より大きなシステム容量を要求する。このような目標を達成するためには、無線通信の様々な制約点を克服しなければならない。移動通信において、一番大きな制約点になるのはマルチ経路によるフェージング（ｆａｄｉｎｇ）である。フェージングによって受信信号の劣化が深刻になるためである。
【０００３】
フェージングを克服する方法には、ダイバーシチ技法（ｄｉｖｅｒｓｉｔｙ  ｔｅｃｈｎｉｑｕｅ）を用いる。ダイバーシチ技法には、送信（ｔｒａｎｓｍｉｔ）ダイバーシチと受信（ｒｅｃｅｉｖｅ）ダイバーシチとがある。また、ダイバーシチは、時間（ｔｉｍｅ）、周波数（ｆｒｅｑｕｅｎｃｙ）、または空間（ｓｐａｃｅ）に対して複数の経路を提供する技法である。
【０００４】
ｃｄｍａ２０００システムでは、第二世代ＣＤＭＡセルラシステムとは異なり、順方向リンク（ｆｏｒｗａｒｄ）は逆方向リンク（ｒｅｖｅｒｓｅ  ｌｉｎｋ）に比べてチャネル容量が少ないので、順方向リンクがシステム容量を決めるようになる。これは、基地局で二つのアンテナを利用する受信ダイバーシチを適用して受信信号に最大比結合（ｍａｘｉｍａｌ  ｒａｔｉｏ  ｃｏｍｂｉｎｉｎｇ）を適用することができるからである。二つのアンテナを利用する受信ダイバーシチを端末機において適用することは端末機に大きい負担を与えるので、ＣＤＭＡセルラシステムに適用し難い。ｃｄｍａ２０００では基地局送信ダイバーシチを適用し、順方向リンクと逆方向リンクとのチャネル容量のバランスを取る。
【０００５】
【発明が解決しようとする課題】
現在まで提案された送信ダイバーシチ技法としては、ＯＴＤ（ｏｒｔｈｏｇｏｎａｌ  ｔｒａｎｓｍｉｔ  ｄｉｖｅｒｓｉｔｙ）、ＴＳＴＤ（ｔｉｍｅ  ｓｗｉｔｃｈｅｄ  ｔｒａｎｓｍｉｔ  ｄｉｖｅｒｓｉｔｙ），ＳＴＤ（ｓｅｌｅｃｔｉｏｎ  ｄｉｖｅｒｓｉｔｙ）、ＴＸＡＡ（ｔｒａｎｓｍｉｔ  ａｎｔｅｎｎａ  ａｒｒａｙ）などがある。これら方法のうちで、実現上の複雑度対性能向上度の観点において、一番優れたトレードオフ（ｔｒａｄｅ−ｏｆｆ）点を見出し、これらの方法の優劣を決めることは明確ではない。そこで、与えられた通信環境によって一番良い方法が決められるようになる。
【０００６】
従って、本発明は、ＯＴＤ、ＴＳＴＤ、ＳＴＤ、ＴＸＡＡなどの基地局送信ダイバーシチ方法に対して全て使用できる端末機用受信機システムを提供することを目的とする。
【０００７】
【課題を解決するための手段】
前述したような課題を解決するために、本発明は、複数のアンテナを通じて送信された信号からデータを再生するデータ再生装置において、パイロットウォルシュコード（ｐｉｌｏｔ  Ｗａｌｓｈ  ｃｏｄｅｓ）およびデータウォルシュコード（ｄａｔａ  Ｗａｌｓｈ  ｃｏｄｅｓ）を利用してパイロット信号およびデータ信号を再生する複数の逆拡散部と、前記複数の逆拡散部を選択的に活性化させる経路制御器と、前記複数の逆拡散部から出力されるパイロット信号を利用してアンテナウエーティング信号を発生させるアンテナウエーティング信号発生器と、前記複数の逆拡散部から出力されるデータ信号を加える加算器と、前記逆拡散部と前記経路制御器と前記加算器とを基地局の送信方法によって制御する制御部と、を含むことを特徴とする。
【０００８】
ここで、前記各々の逆拡散部は、前記パイロットウォルシュコードにより前記送信信号を逆拡散させることによって、パイロット信号を合成するパイロット合成器と、前記データウォルシュコードにより前記送信信号を逆拡散させることによって、データ信号を合成するデータ合成器と、前記パイロット合成器および前記データ合成器に入力される送信信号を所定時間遅延させる遅延素子と、を備える。
【０００９】
ここで、前記データ合成器は、前記データウォルシュコードによる送信信号の逆拡散の結果と前記パイロット信号とを掛けて、データ信号として出力する。
【００１０】
ここで、前記各々の逆拡散部は、前記パイロット合成器から出力されるパイロット信号の位相および利得を評価する経路評価器（ｐａｔｈ  ｅｓｔｉｍａｔｏｒ）をさらに備えており、前記アンテナウエーティング信号発生器は、前記経路評価器の出力を利用してアンテナウエーティング信号を発生させる。
【００１１】
前記逆拡散部は、二つで構成されることが望ましい。
【００１２】
ここで、一つのアンテナを利用する場合の二倍の長さであり、互いに相違するデータウォルシュコードを利用して、前記二つの逆拡散部がデータ再生を遂行し、前記経路制御器が前記二つの逆拡散部を共に活性化させ、前記加算器が前記二つの逆拡散部で再生されたデータ信号を交互に出力するように、前記制御部が前記逆拡散部と前記経路制御器と前記加算器とを制御する。
【００１３】
または、一つのアンテナを利用する場合と同一の長さであり、互いに同一であるデータウォルシュコードを利用して、前記二つの逆拡散部がデータ再生を遂行し、前記経路制御器が前記二つの逆拡散部を所定のパターンによって選択的に活性化させ、前記加算器が前記パターンによって選択された逆拡散部で再生されたデータ信号を一列に出力するように、前記制御部が前記逆拡散部と前記経路制御器と前記加算器とを制御する。
【００１４】
または、一つのアンテナを利用する場合と同一の長さであり、互いに同一であるデータウォルシュコードを利用して、前記二つの逆拡散部がデータ再生を遂行し、前記経路制御器が前記二つの逆拡散部を共に活性化させ、前記加算器が前記二つの逆拡散部で再生されたデータ信号を加えて出力するように、前記制御部が前記逆拡散部と前記経路制御器と前記加算器とを制御する。
【００１５】
前述したように、本発明によると、一つの移動局端末機用受信機システムをＯＴＤ、ＴＳＴＤ、ＳＴＤ、ＴＸＡＡなどの多様な基地局送信ダイバーシチ方法に適用することができる。
【００１６】
【発明の実施の形態】
以下、添付した図を参照して、本発明の望ましい実施形態を詳細に説明する。
【００１７】
図１は、本発明の一実施形態による端末機用受信機の構成図である。
【００１８】
図１に示すように、本実施形態による端末機用受信機は、二つの逆拡散部１０１、１０３、経路制御器１０５、アンテナウエーティング信号発生器１０７、及び加算器１０９を備えている。一方、図１に示されていないが、ダイバーシチ技法によって前記構成要素を制御する制御部をさらに備えている。
【００１９】
図１に示すように、逆拡散部１０１、１０３は、パイロットウォルシュコードにより基地局から送信された信号を逆拡散させることによって、パイロット信号を合成するパイロット合成器１１１と、データウォルシュコードにより伝送信号を逆拡散させることによって、データ信号を合成するデータ合成器１１３と、パイロット合成器およびデータ合成器に入力される送信信号を所定時間遅延させる遅延素子１１５と、を備えている。
逆拡散部１０１は、パイロット再生のために用いるパイロットウォルシュコードとしてウォルシュＰ１を、データ再生のために用いるデータウォルシュコードとしてウォルシュＴ１を、用いる。
一方、逆拡散部１０３は、パイロット再生のために用いるパイロットウォルシュコードとしてウォルシュＰ２を、データ再生のために用いるデータウォルシュコードとしてウォルシュＴ２を、用いる。
遅延素子１１５（ｄｅｌａｙ  ｅｌｅｍｅｎｔ）は、各々のアンテナの間に存在する経路差を補償するためのものである。本実施形態では、逆拡散部１０３にのみ遅延素子１１５が備えられている。
【００２０】
ウォルシュＴ１とウォルシュＴ２とは、ダイバーシチ技法によって決められる。即ち、本実施形態による基地局端末機用受信機がＯＴＤに適用される場合には、ウォルシュＴ１とウォルシュＴ２とは同一ではなく、各々ダイバーシチを適用しない時に比べて二倍の長さのウォルシュコードを有するように、制御部（図示さない）により逆拡散部１０１、１０３が制御される。しかし、本実施形態による基地局端末機用受信機がＴＳＴＤ、ＳＴＤ、ＴＸＡＡに適用される場合には、ウォルシュＴ１とウォルシュＴ２とが同一であり、各々ダイバーシチを適用しない時と同一の長さのウォルシュコードを有するように制御部（図示さない）により逆拡散部１０１、１０３が制御される。
【００２１】
一方、データ合成器１１３は、データウォルシュコードを利用した逆拡散により再生したデータ信号と、パイロット再生器を通じて再生したパイロット信号を掛けて、データ信号として出力することよって、経路特性をデータ信号に反映する。
【００２２】
図１示すように、本実施形態による受信機は、アンテナウエーティング信号発生器１０７を備えており、逆拡散部１０１、１０３にはアンテナウエーティング信号発生器１０７と関連して経路評価器１１７、１１９が備えられている。
経路評価器１１７は、逆拡散部１０１内のパイロット合成器１１１から出力されるパイロット信号の位相および利得を評価して、該当経路の特性に対する所定の信号をアンテナウエーティング信号発生器１０７に伝達する。逆拡散部１０３内の経路評価器１１９も同一である。
アンテナウエーティング信号発生器１０７は、経路評価器１１７、１１９の出力に基づいて各経路の特性を評価し、該当アンテナから送信される信号の電力を制御する制御情報を発生させる。この制御情報は、基地局にフィードバックされ、基地局に設けられた二つのアンテナにより送信される信号の電力を制御するようになる。本実施形態による移動局受信機がＳＴＤに適用される場合には、この制御情報は１ビットで構成され、ＴＸＡＡに適用される場合には、マルチビットで構成される。アンテナウエーティング信号発生器１０７は、ＳＴＤとＴＸＡＡとの場合にのみ活性化されるブロックである。ＳＴＤの場合には、１ビットでメッセージを生成してフィードバックチャネルを通じて基地局に伝達して、ＴＸＡＡの場合には、マルチビットでメッセージを生成してフィードバックチャネルを通じて基地局に伝達する。
【００２３】
本実施形態による受信機は、また、経路制御器１０５を備えている。経路制御器１０５は、二つの逆拡散部１０１、１０３をダイバーシチ技法によって選択的に活性化させる。即ち、ＯＴＤ、ＴＸＡＡに適用される場合には、逆拡散部１０１、１０３全部を活性化させる。しかし、ＴＳＴＤに適用される場合には、基地局でアンテナを用いた固有パターンにより、またＳＴＤに適用される場合には、アンテナ選択メッセージ（ａｎｔｅｎｎａ  ｓｅｌｅｃｔｉｏｎ  ｍｅｓｓａｇｅ）により、選択された逆拡散部を活性化させる。このような経路制御器１０５の動作は制御部（図示さない）により制御される。
【００２４】
また、本実施形態による受信機は、逆拡散部から出力されるデータ信号を加える加算器１０９を備えている。加算器１０９がデータ信号を加える方法は、ダイバーシチ技法によって決められる。先ず、ＯＴＤに本受信機が適用される場合には、逆拡散部１０１から出力されるデータ信号と、逆拡散部１０３から出力されるデータ信号とを交互に再整列して出力する。次に、ＴＳＴＤとＳＴＤとに本受信機が適用される場合には、選択された逆拡散部のデータ信号が単純に出力されるようにする。さらに、ＴＸＡＡに本受信機が適用される場合には、二つの逆拡散部１０１、１０３から出力されるデータ信号を加えて出力する。
【００２５】
ダイバーシチを適用しない場合に用いられるウォルシュコード（Ｗａｌｓｈ  ｃｏｄｅ）の長さをＮとすれば、本受信機では基本的にＮチップ（ビット）単位で動作するようになる。‘第１パイロット合成器’と‘第１データ合成器’とは送信アンテナ１からの信号を受信すると仮定し、‘第２パイロット合成器’と‘第２データ合成器’とは送信アンテナ２からの信号を受信すると仮定する。逆の仮定の場合にも問題なく適用できる。各々の送信アンテナから送られる信号は、受信時に、別個の信号と見なされて復調（ｄｅｍｏｄｕｌａｔｉｏｎ）される。即ち、独立的なパイロット信号を受信し、独立的なタイム追跡（ｔｉｍｅ−ｔｒａｃｋｉｎｇ）により各信号のタイミングが維持されるようになる。
【００２６】
本発明による基地局送信ダイバーシチのための端末機用受信機のモードを整理して、表１に示す。本発明による受信機は、表１のような動作を遂行するように制御する制御回路を追加して、ＯＴＤ、ＴＳＴＤ、ＳＴＤ、ＴＸＡＡ用で使用する。表１において、拡散部１は逆拡散部１０１を、拡散部２は逆拡散部１０３を各々示す。
【表１】
0004035381.tif 000002
【００２７】
以下、本発明による受信機が各ダイバーシチに対応してどのように動作するかを説明する。
【００２８】
図２および図３は、ＯＴＤ（ｏｒｔｈｏｇｏｎａｌ  ｔｒａｎｓｍｉｔ  ｄｉｖｅｒｓｉｔｙ）送信機および受信機の構成図であり、図２は、ＯＴＤ送信機であり、図３は、ＯＴＤ受信機である。
【００２９】
ＯＴＤでは、チャネルコーディング（ｃｈａｎｎｅｌ  ｃｏｄｉｎｇ）されて、インタリービング（ｉｎｔｅｒｌｅａｖｉｎｇ）されたビットストリーム（ｂｉｔ  ｓｔｒｅａｍ）を二つの互いに異なるストリームで分けて、互いに異なる送信アンテナを通じて同時に送信する技法である。したがって、二つのアンテナは常時使用されるようになる。各ビットストリームの間に直交性（ｏｒｔｈｏｇａｎａｌｉｔｙ）を与えるために互いに異なるウォルシュ拡散コード（Ｗａｌｓｈ  ｓｐｒｅａｄｉｎｇ  ｃｏｄｅ）を割り当てる。ビットストリームはさらに多くして、三つ、四つなどに分けることもできる。しかし、ここでは二つのビットストリームとして説明する。一つのアンテナに共通パイロット（ｃｏｍｍｏｎｐｉｌｏｔ）が適用されれば、他の一つのアンテナには補助パイロット（ａｕｘｉｌｉａｒｙ  ｐｉｌｏｔ）が適用される。ダイバーシチを適用しない場合に用いられるウォルシュコードの長さをＮとすれば、この時の、図２でのウォルシュＴ１、Ｔ２は、コード長さが２Ｎになる。
【００３０】
図３において、ブロック‘Ｄ’は各々のアンテナの間に存在する経路差を補償するための遅延素子を示す。別個に復調されたシンボルデータはデマルチプレクサ（ｄｅｍｕｌｔｉｐｌｅｘｅｒ：Ｄｅｍｕｘ）ブロックを通じて整列させられて、次のブロックである結合器（ｃｏｍｂｉｎｅｒ）に伝達される。ウォルシュＴ１、Ｔ２はコード長さが２Ｎになる。
【００３１】
本実施形態による受信機は、ＯＴＤに適用される場合に、二つの逆拡散部１０１、１０３は、一つのアンテナを利用する場合の二倍の長さ２Ｎであり、互いに異なるデータウォルシュコードを利用してデータ信号を再生するように、制御される。経路制御器１０５は、二つの逆拡散部１０１、１０３で再生されたデータ信号が交互に出力されるように、制御される。制御部によるこのような制御によって、図１に示した本発明による受信機は、図３に示したＯＴＤ受信機の動作を遂行する。
【００３２】
図４および図５は、ＴＳＴＤ（ｔｉｍｅ  ｓｗｉｔｃｈｅｄ  ｔｒａｎｓｍｉｔ  ｄｉｖｅｒｓｉｔｙ）送信機および受信機の構成図であり、図４は、ＴＳＴＤ送信機であり、図５は、ＴＳＴＤ受信機である。
【００３３】
ＴＳＴＤでは、特定時間に、二つのアンテナのうちの一つのアンテナのみがいつも用いられる。各アンテナには同一なウォルシュコードが用いられる。ＯＴＤのように、一つのアンテナに共通パイロットが適用されれば、他の一つのアンテナには補助パイロットが適用される。ダイバーシチを適用しない場合に用いられるウォルシュコードをＮとすると、図４のウォルシュＴのコード長さはＮになる。スイッチは、アンテナの使用者が不規則な固有パターンによってアンテナの間を移動するように、作動する。不規則な固有パターンは、各アンテナの使用者が一つのアンテナを平均的に同じ割合で使用するように設計しなければならない。
【００３４】
図５において、各アンテナには同一のウォルシュコードが用いられる。ウォルシュＴはコード長さがＮになる。スイッチは、各使用者が不規則な固有パターンによってアンテナの間を移動するように、作動する。この固有パターンは基地局との情報交換を通じて事前に移動局に知らされている。
【００３５】
本実施形態による受信機がＴＳＴＤに適用される場合には、二つの逆拡散部１０１、１０３は、互いに同一でありながら、一つのアンテナを利用する場合と同一な長さＮであるデータウォルシュコードを利用してデータ信号を再生するように、制御される。経路制御器１１９は、基地局でアンテナを選択する時に用いられた固有のパターンによって二つの逆拡散部１０１、１０３を選択するように、制御される。加算器１０９は、前記パターンによって選択された逆拡散部のデータ信号が単純に出力されるように、制御される。制御部によるこのような制御により、図１に示した本発明による受信機は、図５に示したＴＳＴＤ受信機の動作を遂行する。
【００３６】
図６および図７は、ＳＴＤ（ｓｅｌｅｃｔｉｏｎ  ｄｉｖｅｒｓｉｔｙ）送信機および受信機の構成図であり、図６は、ＳＴＤ送信機であり、図７は、ＳＴＤ受信機である。
【００３７】
ＳＴＤはＴＳＴＤの性能の改善を目標とする。ＴＳＴＤで用いられるアンテナは、端末機の受信機で常に最高の信号対雑音比（ｓｉｎａｌ  ｔｏ  ｎｏｉｓｅｒａｔｉｏ：ＳＮＲ）を保障できない。理想的には、基地局で端末機の受信ＳＮＲが最大になるアンテナを選択すれば、最高の性能を保障する。しかし、基地局では移動通信チャネルの状態を知らないので、これは不可能である。端末機から基地局へのフィードバックチャネルが存在して端末機でさらに高いＳＮＲを保障するアンテナを示すと、性能が向上する。逆方向リンクのチャネル容量を考慮して１ビットアンテナ選択メッセージ（ｏｎｅ−  ｂｉｔ  ａｎｔｅｎｎａ  ｓｅｌｅｃｔｉｏｎ  ｍｅｓｓａｇｅ）を通じて、端末機が基地局にアンテナ情報を与えるようにする。アンテナ選択スピードは、ＳＴＤ性能に大きい影響を及ぼすようになる。
【００３８】
図７において、ウォルシュＴはコード長さがＮになる。スイッチは、アンテナ選択器で生成されて基地局に伝達されるアンテナ選択メッセージから決められる。アンテナ選択メッセージがスイッチ選択に直ぐ使用されるのではなく、ラウンドトリップ遅延（ｒｏｕｎｄ−ｔｒｉｐ  ｄｅｌａｙ）、基地局／端末機処理時間などの時間遅延を経た後に使用される。
【００３９】
本実施形態による受信機がＳＴＤに適用される場合には、二つの逆拡散部１０１、１０３は、互いに同一でありながら、一つのアンテナを利用する場合と同一な長さＮであるデータウォルシュコードを利用してデータ信号を再生するように、制御される。経路制御器１１９は、アンテナ選択メッセージによって二つの逆拡散部１０１、１０３を選択するように、制御される。加算器１０９は、アンテナ選択メッセージによって選択された逆拡散部のデータ信号が単純に出力されるように、制御される。制御部によるこのような制御により、図１に示した本発明による受信機は、図７に示したＳＴＤ受信機の動作を遂行する。
【００４０】
図８および図９は、ＴＸＡＡ（ｔｒａｎｓｍｉｔ  ａｎｔｅｎｎａ  ａｒｒａｙ）送信機および受信機の構成図であり、図８は、ＴＸＡＡ送信機であり、図９は、ＴＸＡＡ受信機である。
【００４１】
ＴＸＡＡでは、二つのアンテナを通じて同一なデータを互いに同一なウォルシュコードを利用して送信する。送信する前に端末機からフィードバックチャネルを通じて送られたアンテナ情報を利用してウエーティングを与えて送信するようになる。ダイバーシチを適用しない場合に用いられるウォルシュコードの長さをＮとすれば、この時の、図８の、ウォルシュＴのコードの長さはＮになる。Ｈ１（ｔ）、Ｈ２（ｔ）は、フィードバックチャネルを通じて端末機から伝達されるアンテナウエーティング信号により決められる。この値により、各アンテナを通じて送信される信号の位相（ｐｈａｓｅ）と利得（ｇａｉｎ）とが、ＳＮＲを最大とするように、調整される。
【００４２】
図９において、二つのアンテナを通じて同一のデータを互いに同一のウォルシュコードを利用して送信されたので、経路１の結果と経路２の結果を合して結合器に送るようになる。
【００４３】
本実施形態による受信機がＴＸＡＡに適用される場合には、二つの逆拡散部１０１、１０３は、互いに同一でありながら、一つのアンテナを利用する場合と同一な長さＮであるデータウォルシュコードを利用してデータ信号を再生するように、制御される。経路制御器１０５は、二つの逆拡散部１０１、１０３を全て活性化させるように、制御される。加算器１０９は、二つの逆拡散部１０１、１０３で再生されたデータ信号が加えられて出力されるように、制御される。制御部によるこのような制御により、図１に示した本発明による受信機は、図９に示したＴＸＡＡ受信機の動作を遂行する。
【００４４】
本実施形態は、本発明を説明するためのものであって、本発明の権利範囲を限定するものではない。従って、当業者は本実施形態から多様な変形や変更が可能である。
【００４５】
【発明の効果】
前述のように、本発明によると、一つの移動局端末機用受信機システムをＯＴＤ、ＴＳＴＤ、ＳＴＤ、ＴＸＡＡなどの多様な基地局送信ダイバーシチ方法に対して使用できる。
【図面の簡単な説明】
【図１】本発明による端末機用受信機の構成図。
【図２】ＯＴＤ送信機の構成図。
【図３】ＯＴＤ受信機の構成図。
【図４】ＴＳＴＤ送信機の構成図。
【図５】ＴＳＴＤ受信機の構成図。
【図６】ＳＴＤ送信機の構成図。
【図７】ＳＴＤ受信機の構成図。
【図８】ＴＸＡＡ送信機の構成図。
【図９】ＴＸＡＡ受信機の構成図。
【符号の説明】
１０１  逆拡散部
１０３  逆拡散部
１０５  経路制御器
１０７  アンテナウエーティング信号発生器
１０９  加算器
１１１  パイロット信号合成器
１１３  データ信号合成器
１１５  遅延素子
１１７  経路評価器
１１９  経路評価器
【図１】
0004035381.tif 000003
【図２】
0004035381.tif 000004
【図３】
0004035381.tif 000005
【図４】
0004035381.tif 000006
【図５】
0004035381.tif 000007
【図６】
0004035381.tif 000008
【図７】
0004035381.tif 000009
【図８】
0004035381.tif 000010
【図９】
0004035381.tif 000011